(57)【要約】【課題】  開閉部材を開く操作が簡単であり、しかも、開閉部材のロックも簡単に行うことができるロック装置を提供すること。【解決手段】  互いに係合して開閉部材を閉塞状態にロックすることができる第１組の２つの係合部と、操作によって前記第１組の２つの係合部の互いの係合を解除させる操作部と、互いが係合して前記第１組の２つの係合部を係合解除位置で保持して前記開閉部材を開放可能な状態とする第２組の２つの係合部と、前記開閉部材が閉塞された際に前記第２組の２つの係合部の互いの係合を解除させる係合解除手段と、前記開閉部材が閉塞されたときに前記第１組の２つの係合部を互いに係合させる係合手段とを備える。【選択図】図１
2006233501.tif 000002
【特許請求の範囲】
【請求項１】
互いに係合して開閉部材を閉塞状態にロックすることができる第１組の２つの係合部と、操作によって前記第１組の２つの係合部の互いの係合を解除させる操作部と、互いが係合して前記第１組の２つの係合部を係合解除位置で保持して前記開閉部材を開放可能な状態とする第２組の２つの係合部と、前記開閉部材が閉塞された際に前記第２組の２つの係合部の互いの係合を解除させる係合解除手段と、前記開閉部材が閉塞されたときに前記第１組の２つの係合部を互いに係合させる係合手段とを備えることを特徴とする開閉部材のロック装置。
【請求項２】
前記第１組の２つの係合部のうちの一方の係合部と、前記操作部と、前記第２組の２つの係合部と、前記係合解除手段と、前記係合手段とは一のブロックに設けられ、前記第１組の２つの係合部のうちの他方の係合部は他のブロックに設けられていることを特徴とする請求項１に記載の開閉部材のロック装置。
【請求項３】
前記操作部の操作を阻止する操作阻止手段と、前記操作阻止手段による前記操作部の操作阻止を解除する操作子とが前記一のブロックに設けられていることを特徴とする請求項２に記載の開閉部材のロック装置。
【請求項４】
前記開閉部材は、収納ボックス本体に取り付けられた片開き式の扉であり、前記一のブロックは前記扉に取り付けられ、前記他のブロックは前記収納ボックス本体に取り付けられるように構成されていることを特徴とする請求項２又は３に記載の開閉部材のロック装置。
【請求項５】
前記開閉部材は、収納ボックス本体に取り付けられた両開き式の扉であり、前記一のブロックは一方の扉に取り付けられ、前記他のブロックは他方の扉に取り付けられていることを特徴とする請求項２又は３に記載の開閉部材のロック装置。
【発明の詳細な説明】
【技術分野】
【０００１】
本発明は、開閉部材のロック装置に関する。
【背景技術】
【０００２】
特に、幼児がいる家庭における家具、例えば、冷蔵庫，本箱、おもちゃ箱その他の収納ボックスの扉（開閉部材）には、幼児等に簡単に開けられないようにロック装置が設けられている（例えば、特許文献１）。
【０００３】
特許文献１の両開き扉用開き防止具では、両開き扉の一方の扉に基部をスライド可能にした雄形ホルダを取り付け、他方の扉に基部をスライド可能にした雌形ホルダを取り付け、両ホルダの基部にアームをそれぞれ設けるとともに、雄形ホルダのアームに弾性体を介して押圧片を設けるとともに、雌形ホルダのアームに弾性体受け穴を設け、さらに、該穴に連通するかつ押圧片の基部が挿通されるスリットと、弾性体受け穴に連通し、かつ雄形ホルダのストッパが係合されるストッパ受け穴とを設けている。そして、扉を互いに係止する場合、互いのアームをスライドさせて、一方のアームの弾性体を他方のアームの弾性体受け穴に挿入させて、弾性体のストッパ片を弾性体受け穴のストッパ受け穴に係合し、両アームを互いに係合している。また、扉を開放する場合は、押圧片を押し込み、ストッパ片とストッパ受け穴との係合を解除し、その状態で扉を開ける。
【特許文献１】実公平７−４３４０３号公報（図１〜図３を参照）
【発明の開示】
【発明が解決しようとする課題】
【０００４】
ところで、上記特許文献１の両開き扉用のロック装置は、係合の解除操作をしながら扉を開く必要があり、それらを開く操作が煩雑である。また、ロックをする場合には、互いのアームをスライドさせて、一方のアームの弾性体を他方のアームの弾性体受け穴に挿入させて、弾性体のストッパ片を弾性体受け穴のストッパ受け穴に係合し、両アームを互いに係合しなければならないため、その作業が煩雑である。
【０００５】
本発明は、かかる問題点を解消するためになされたもので、開閉部材を開く操作が簡単であり、しかも、開閉部材のロックも簡単に行うことができるロック装置を提供することを目的としている。
【課題を解決するための手段】
【０００６】
請求項１に記載のロック装置は、互いに係合して開閉部材を閉塞状態にロックすることができる第１組の２つの係合部と、操作によって前記第１組の２つの係合部の互いの係合を解除させる操作部と、互いが係合して前記第１組の２つの係合部を係合解除位置で保持して前記開閉部材を開放可能な状態とする第２組の２つの係合部と、前記開閉部材が閉塞された際に前記第２組の２つの係合部の互いの係合を解除させる係合解除手段と、前記開閉部材が閉塞されたときに前記第１組の２つの係合部を互いに係合させる係合手段とを備えることを特徴とする。
【０００７】
請求項２に記載のロック装置は、請求項１に記載の開閉部材のロック装置において、前記第１組の２つの係合部のうちの一方の係合部と、前記操作部と、前記第２組の２つの係合部と、前記係合解除手段と、前記係合手段とは一のブロックに設けられ、前記第１組の２つの係合部のうちの他方の係合部は他のブロックに設けられていることを特徴とする。
【０００８】
請求項３に記載のロック装置は、請求項２に記載の開閉部材のロック装置において、前記操作部の操作を阻止する操作阻止手段と、前記操作阻止手段による前記操作部の操作阻止を解除する操作子とが前記一のブロックに設けられていることを特徴とする。
【０００９】
請求項４に記載のロック装置は、請求項２又は３に記載の開閉部材のロック装置において、前記開閉部材は、収納ボックス本体に取り付けられた片開き式の扉であり、前記一のブロックは前記扉に取り付けられ、前記他のブロックは前記収納ボックス本体に取り付けられるように構成されていることを特徴とする。
【００１０】
請求項５に記載のロック装置は、請求項２又は３に記載の開閉部材のロック装置において、前記開閉部材は、収納ボックス本体に取り付けられた両開き式の扉であり、前記一のブロックは一方の扉に取り付けられ、前記他のブロックは他方の扉に取り付けられていることを特徴とする。
【発明の効果】
【００１１】
請求項１〜５の発明によれば、操作部の操作によって第１組の２つの係合部の互いの係合を解除し、第２組の係合部で第１組の２つの係合部を係合解除位置で保持して開閉部材を開放可能な状態に維持させれば、開閉部材の開放の際にはロック装置から手を離すことができる。また、係合手段によって、開閉部材が閉塞されたときに前記第１組の２つの係合部が互いに自動的に係合されるので、開閉部材のロックのための作業を人が行う必要が無くなる。
【００１２】
また、請求項３の発明によれば、操作阻止手段によって操作部の操作が阻止され、開閉部材を開放するには、操作子を操作した後に操作部を操作しなければならないので、特に、幼児等にむやみに開けて欲しくない開閉部材のロックに好適なものとなる。
【発明を実施するための最良の形態】
【００１３】
〔第１の実施の形態〕
図１は本発明に係る開閉部材のロック装置の内部機構を示した図であり、図１（Ａ）は第１組の係合部が互いに係合した状態を示した図、図１（Ｂ）はＡ−Ａ線断面図，図２（Ａ）は第２組の係合部の互いの係合が解除された状態を示した図、図２（Ｂ）はＢ−Ｂ線断面図，図３（Ａ）は嵌挿部材が退避状態で保持された状態を示した図、図３（Ｂ）はＣ−Ｃ線断面図、図３（Ｃ）はＤ−Ｄ線断面図，図４（Ａ）は扉が開かれた状態の図、図４（Ｂ）はＥ−Ｅ線断面図、図４（Ｃ）はＦ−Ｆ線断面図である。
【００１４】
このロック装置は扁平な箱状ブロック１２，１３を備えている。このうちブロック１２は、両開き式の扉のうちの一方の扉１に取り付けられ、ブロック１３は他方の扉２に取り付けられる。
【００１５】
ブロック１３には嵌挿部材（第１組の係合部）１４が設けられている。嵌挿部材１４は、回動板１４ａと、この回動板１４ａを支持する枠体１４ｂとを備えてなる。回動板１４ａは板状に構成されている。そして、この回動板１４ａは枠体１４ｂに取り付けられている。すなわち、回動板１４ａは、枠体１４ｂに支持される軸１４ｃを中心にブロック１２の表裏方向に回動可能となるように枠体１４ｂに取り付けられている。回動板１４ａの表面には、先端側に爪１４ｄが、また長手方向中央に操作部１０がそれぞれ設けられている。さらに、回動板１４ａの表面の基端側には、操作部１０の長手方向中央部に連接され且つ回動板１４ａの基端近くまで延びる突起１４ｅが設けられている。突起１４ｅの上辺は回動板１４ａの基端に向けて下り勾配を有する形状となっている。
ここで、爪１４ｄは、その頂部先端側に傾斜部を備える。また、回動板１４ａの裏面には長手方向中央に突片１４ｆが設けられている。そして、この突片１４ｆとブロック１２の固定部との間にはばね（押しばね）１９が設けられている。回動板１４ａひいては嵌挿部材１４は、このばね１９によって、ブロック１２から突出する方向に付勢される。また、軸１４ｃを中心として回動する回動板１４ａは、このばね１９によって、ブロック１２の表面側に向けて付勢される。一方、枠体１４ｂの一壁には、矩形状の切欠き１４ｇ（第２組の係合部）と、半舌状の切欠き１４ｈとが形成されている。また、枠体１４ｂの他壁には三角状の切欠き１４ｉが形成されている。さらに、枠体１４ｂの表壁には、前記爪１４ｄを受容する長孔１４ｊと、前記操作部１０及び突起１４ｅを受容するＴ字状の孔１４ｋが形成されている。
また、ブロック１２の表壁には、操作部１０を突出させ、かつ操作部１０の操作を可能とする矩形状開口１２ａが形成されている。
一方、ブロック１３において、他方のブロック１２に対向する一端部には、嵌挿部材１４の進入口１３ａが形成されている。また、ブロック１３の係合部（第１組の係合部）１１は、ブロック１３の表壁に形成され、かつ、嵌挿部材１４がブロック１２から突出状態にあるときに爪１４ｄと嵌合可能な長孔１１ａを備えている。
なお、本実施形態では、爪１４ｄを設け、これを長孔１１ａに嵌合させるようにしているが、嵌挿部材１４が長尺である場合のように、嵌挿部材１４のブロック１３への進入だけで扉をロックできる場合には、爪１４ｄや長孔１１ａは必ずしも設ける必要はない。
【００１６】
また、ブロック１２には操作阻止手段１５が設けられている。この操作阻止手段１５は操作部１０の操作を阻止するものである。操作阻止手段１５は、中間部がブロック１２に軸支持されたレバー１５ａの一方のアームに設けられた爪１５ｂを備えてなる。爪１５ｂは、ばね２０によって、嵌挿部材１４側に向けて付勢される。この爪１５ｂは、嵌挿部材１４がブロック１２から突出した状態にあるときに、図１に示すようにばね２０の付勢力によって嵌挿部材１４の枠体１４ｂの後端に引っかかり、嵌挿部材１４をブロック１２から突出した状態に保持する。その結果、操作部１０の操作が阻止される。また、嵌挿部材１４がブロック１２に没入した状態にあるときに、図３に示すように枠体１４ｂの切欠き１４ｉに引っかかる。この場合の爪１５ｂと切欠き１４ｉとは、嵌挿部材１４がブロック１２に没入した際の位置決めの役割をし、爪１５ｂと切欠き１４ｉとの係合状態から嵌挿部材１４がブロック１２から突出しようとする際にはその動作を許容する働きをする。
なお、操作阻止手段１５として、レバー１５ａの代わりにロッドのように直線往復運動が可能な部材を設けてもよい。
【００１７】
また、ブロック１２には操作阻止解除手段１６が設けられている。操作阻止解除手段１６は、レバー１５ａの他方のアームに設けられた操作部（操作子）１６ａによって構成されている。この操作部１６ａは、ブロック１２に形成された孔１２ｂに挿入されて、その一部が外部に突出している。この操作部１６ａは、枠体１４ｂの後端に爪１５ｂが引っかかった状態でばね２０の付勢力に抗して操作すると爪１５ｂを退行させて操作阻止解除手段１６による操作部１０の操作阻止を解除させる働きをする。
【００１８】
さらに、ブロック１２には解除状態保持手段１７が設けられている。この解除状態保持手段１７は、第１組の係合部の係合解除状態を保持するためのものである。解除状態保持手段１８は、一端部がブロック１２に軸支持されたレバー１７ａに設けられた爪１７ｂ（第２組の係合部）と、爪１７ｂを嵌挿部材１４側に向けて付勢するばね２１とを備えている。レバー１７ａはその先端部が斜部となっている。そして、この斜部の裏側一部には厚肉部１７ｃが形成されている。この厚肉部１７ｃは、図３（Ｃ）に示すように、レバー１７ａの先端側から後端側に向けて肉厚が小さくなるように構成されている。この解除状態保持手段１７の爪１７ｂは、嵌挿部材１４がブロック１２から突出した状態にあるときに、図１に示すように枠体１４ｂの切欠き１４ｈに引っかかる。この爪１７ｂと切欠き１４ｈとの係合は、嵌挿部材１４がブロック１２に没入する方向に動作するときにはその動作の妨げとはならない。すなわち、嵌挿部材１４がブロック１２に没入する方向に動作するときには、爪１７ｂは切欠き１４ｈの縁の直線部を倣うので、嵌挿部材１４の動作の妨げとはならない。また、爪１７ｂは、嵌挿部材１４がブロック１２に没入した状態にあるときには、図３に示すように枠体１４ｂの切欠き１４ｇに引っかかり、嵌挿部材１４をブロック１２に没入した状態に保持する。
なお、解除状態保持手段１７として、レバー１７ａの代わりにロッドのように直線往復運動が可能な部材を設けてもよい。
【００１９】
また、ブロック１２には係合解除手段１８が設けられている。係合解除手段１８は、ブロック１２に対して出没可能なロッド１８ａを備えてなる。ロッド１８ａは、ブロック１２から突出する方向にばね（押しばね）２２によって付勢されている。ロッド１８ａの先端は図３（Ｃ）に示すように楔状となっている。すなわち、ロッド１８ａの先端には表裏に傾斜面が形成されている。また、ロッド１８ａの先端近くには、同図に示すように、ロッド１８ａの表裏方向に動作しロッド１８ａから出没可能な突起１８ｂと、この突起１８ｂをロッド１８ａから突出する方向に付勢するばね１８ｃとを備えている。このように構成された係合解除手段１８のロッド１８ａは、扉が開放状態にあるときには、ばね２２の付勢力によって図４に示すようにブロック１２から突出した状態にある。一方、ロッド１８ａは、開放状態の扉を閉じる場合には、扉２又はブロック１３の端部がロッド１８ａの楔状の先端部の傾斜面に当たることによってブロック１２に没入する方向に押し込まれる。ロッド１８ａがブロック１２側に押し込まれると、ロッド１８ａの突起１８ｂがレバー１７ａの先端を押す。レバー１７ｃの先端部は斜部となっているため、この時、レバー１７ａがばね２１の付勢力に抗して回転動作し、爪１７ｂが枠体１４ｂの切欠き１４ｇから離反する。これによって、解除状態保持手段１７による保持状態が解除され、嵌挿部材１４がばね２２の付勢力によってブロック１２から突出する。なお、ロッド１８ａがブロック１２に押し込まれる際に、レバー１７ａが回転動作することによって突起１８ｂが厚肉部１７ｃの位置を越えると、レバー１７ａの先端部の斜部が突起１８ｂによって押されなくなるので、レバー１７ａはばね２１の付勢力によって枠体１４ｂ側に向けて回転動作し、その際に突起１８ｂはレバー１７ａの裏側に潜り込んだ状態となる（図３）。一方、図３の状態から、扉が開放されると、ばね２２の付勢力によってロッド１８ａの突起１８ｂは厚肉部１７ｃの裏面を倣いロッド１８ａ内に徐々に没し、突起１８ｂが厚肉部１７ｃを乗り越えて遂にはロッド１８ａはブロック１２から突出する。
【００２０】
次に、ロック装置の全体的な動作を説明する。
扉が閉塞されている状態では、ロック装置は図１に示す状態にある。この状態から扉１，２の一方又は双方を開ける場合には、まず、操作部１６ａを操作して枠体１４ｂの後端から爪１５ｂを退行させる。この状態で、操作部１０をブロック１２内に少し押し込んで爪１４ｄを長孔１１ａから離脱させた後、図２に示すように、操作部１０をブロック１３から離反する方向に動作させる。この時、レバー１７ａがばね２１の付勢力に抗して回転動作し、爪１７ｂが切欠き１４ｈから外れる。そして、爪１７ｂは枠体１４ｂの一壁を倣って遂には切欠き１４ｇに引っかかり、嵌挿部材１４は没入状態に保持される。また、レバー１５の爪１５ｂも切欠き１４ｉに引っかかる。この状態を図３が示している。その後に、扉１，２の一方又は双方の扉を開放すると、ロッド１８ａの突起１８ｂは厚肉部１７ｃの裏面を倣い、ロッド１８ａは遂にはブロック１２から突出する。この状態が図４に示されている。
なお、図２に示すように、操作部１０をブロック１３から離反する方向に動作させる直後に、突起１４ｅがブロック１２の表壁の下側に潜り込む。これによって、それ以降、操作部１０をブロック１３から離反する方向に動作させるのに、押し込み操作を継続させる必要がなくなる。
【００２１】
一方、図４の状態から扉１，２を閉めると、扉２又はブロック１３の端部がロッド１８ａの楔状の先端部の傾斜面（表側傾斜面又は裏側傾斜面）に当たるので、ロッド１８ａはブロック１２に没入する方向に押し込まれる。このロッド１８ａの動作に伴って、ロッド１８ａの突起１８ｂがレバー１７ａの先端部の斜部を押し、レバー１７ａの爪１７ｂが嵌挿部材１４の切欠き１４ｇから外れて解除状態保持手段１７による保持状態が解除される。これによって、嵌挿部材１４はばね１９の付勢力によってブロック１２から突出して嵌挿部材１４の先端部が進入口１３ａから箱状ケース１３に入る。そして、爪１４ｄが長孔１１ａに嵌合する。この状態が図１に示されている。
【００２２】
上記した実施の形態では、ロック装置を、両開き扉に適用した例を示したが、片開き扉に使用することもできる。
【００２３】
以上、本発明の実施形態について説明したが、本発明は、かかる実施形態に限定されるものではなく、その要旨を逸脱しない範囲で種々の変形が可能である。
例えば、枠体１４ｂの表壁を色分けし、操作部１０がブロック１２に没入方向に操作された時と、ブロック１２から突出した時とで、矩形状開口１２ａに露出して見える色を変えるようにしてもよい。このようにすれば、色でロック装置の状態を簡単に知ることができる。
【図面の簡単な説明】
【００２４】
【図１】本発明に係る開閉部材のロック装置の一実施の形態の内部機構を示した図であり、図１（Ａ）は第１組の係合部が互いに係合した状態を示した図、図（Ｂ）はＡ−Ａ線断面図である。
【図２】図２（Ａ）は第２組の係合部が互いの係合を解除した状態を示した図、図２（Ｂ）はＢ−Ｂ線断面図である。
【図３】図３（Ａ）は嵌挿部材が退避状態で保持された状態を示した図、図３（Ｂ）はＣ−Ｃ線断面図、図３（Ｃ）はＤ−Ｄ線断面図である。
【図４】図４（Ａ）は扉が開かれた状態の図、図４（Ｂ）はＥ−Ｅ線断面図、図４（Ｃ）はＦ−Ｆ線断面図である。
【符号の説明】
【００２５】
１，２  扉
１０  操作部
１１  係合部（第１組の係合部）
１２  ブロック
１３  ブロック
１４  嵌挿部材（第１組の係合部）
１４ｇ  切欠き（第２組の係合部）
１７ｂ  突起（第２組の係合部）
１６ａ  操作部（操作子）
１８  係合解除手段
３６、３７  ばね
３８  ブロック
３８ａ  溝
３９  ばね
【図１】
2006233501.tif 000003
【図２】
2006233501.tif 000004
【図３】
2006233501.tif 000005
【図４】
2006233501.tif 000006